(57)【要約】【課題】閉鎖弁固定板の外面に結露した水を、室外機の筐体外面を濡らすことなく確実に筐体内に回収できるようにする。【解決手段】空気調和機の室外機１は、筐体１０の内部に圧縮機２０、熱交換器２１、及び送風ファン２２を収納している。閉鎖弁２３を支持する閉鎖弁固定板２４は筐体１０の底板１４に取り付けられる。底板１４の周縁には立ち上がり壁１４ａが形成されており、閉鎖弁固定板２４は筐体の内側より立ち上がり壁１４ａに押し付けられて固定される。立ち上がり壁１４ａの内面と閉鎖弁固定板２４の外面の間には導水路２８が形成される。閉鎖弁固定板２４の外面に結露した水は、導水路２８を通じて立ち上がり壁１４ａの内側に誘導される。【選択図】図２
2010281461.tif 000002
【特許請求の範囲】
【請求項１】
筐体の底板の周縁に形成された立ち上がり壁に、前記筐体の内側より閉鎖弁固定板を押し付けて固定する空気調和機の室外機において、
前記立ち上がり壁の内面と前記閉鎖弁固定板の外面の間に、前記閉鎖弁固定板の外面に結露した水を前記立ち上がり壁の内側に誘導する導水路を形成したことを特徴とする空気調和機の室外機。
【請求項２】
前記立ち上がり壁の上端に、前記閉鎖弁固定板外面に形成されたオーバーハング部に間隔を隔てて対峙し、且つ前記導水路につながる傾斜案内板が形成されていることを特徴とする請求項１に記載の空気調和機の室外機。
【発明の詳細な説明】
【技術分野】
【０００１】
本発明は空気調和機の室外機に関する。
【背景技術】
【０００２】
セパレート型空気調和機は、室外機と室内機を冷媒配管で接続して使用するものであり、室外機には、室内機との間で冷媒配管接続がなされていない状態での冷媒漏洩を防ぐ閉鎖弁が設けられている。閉鎖弁は、空気調和機の設置時やメンテナンス時に開閉操作がしやすいよう、室外機筐体の外面寄りに配置される。通常の設計では、閉鎖弁を固定する閉鎖弁固定板を、筐体の底板の周囲に形成された立ち上がり壁に対し、筐体の内側より押し付けて固定する。そのように構成したセパレート型空気調和機の室外機の例を特許文献１、２に見ることができる。
【０００３】
特許文献１に記載された室外機では、底板に形成された嵌合用凹部に閉鎖弁取付板の下端部が嵌合され、これにより閉鎖弁取付板は起立状態となる。嵌合用凹部の内面には断面半円弧状の一対の突隆部が設けられる。閉鎖弁取付板には突隆部が嵌合する凹所が設けられる。凹所に突隆部が嵌合すると、閉鎖弁取付板は底板の前後方向に位置決めされることになり、閉鎖弁取付板を安定した状態で起立させることができる。
【０００４】
特許文献２に記載された室外機では、筐体底部を形成する底板に閉鎖弁取付板の下部を結合し、筐体前面を形成する前板に閉鎖弁取付板の前部を結合することにより、閉鎖弁取付板を倒れないように固定している。
【先行技術文献】
【特許文献】
【０００５】
【特許文献１】特開２００５−５５１２７号公報
【特許文献２】特開２００７−１２７３１２号公報
【発明の概要】
【発明が解決しようとする課題】
【０００６】
閉鎖弁は、室外機と室内機が冷媒配管で接続された後は開弁状態とされるものであり、冷房時にはその中を冷たい液体冷媒が流れる。これにより、閉鎖弁固定板の温度が下がる。閉鎖弁固定板の表面温度が露点温度以下に下がると、空気中の水分が閉鎖弁固定板の表面に結露する。同じ閉鎖弁固定板の表面でも、室外機筐体の内側に向いた面に結露したのであれば、水滴が伝い落ちたとしても筐体の底板で受け止められ、熱交換器のドレン水と一緒に排水されるから問題はない。しかしながら、筐体の外側に向いた面に結露すると、水滴は筐体の外面を濡らすことになる。室外機を高い位置に置いた場合は頭上から水滴が落ちてくることがあり、室外機をベランダに置いた場合にはベランダが濡れることがあり、いずれにしても好ましくない。特許文献１に記載された室外機も特許文献２に記載された装置も、この点に関しては有効な手立てが施されていない。
【０００７】
本発明は上記の問題に鑑みなされたものであり、閉鎖弁固定板の外面に結露した水を、室外機の筐体外面を濡らすことなく確実に筐体内に回収できる空気調和機の室外機を提供することを目的とする。
【課題を解決するための手段】
【０００８】
上記目的を達成するために本発明は、筐体の底板の周縁に形成された立ち上がり壁に、前記筐体の内側より閉鎖弁固定板を押し付けて固定する空気調和機の室外機において、前記立ち上がり壁の内面と前記閉鎖弁固定板の外面の間に、前記閉鎖弁固定板の外面に結露した水を前記立ち上がり壁の内側に誘導する導水路を形成したことを特徴としている。
【０００９】
この構成によると、閉鎖弁固定板の外面に結露した水は、室外機の筐体外面を濡らすことなく導水路に取り込まれ、筐体内に回収される。
【００１０】
上記構成の空気調和機の室外機において、前記立ち上がり壁の上端に、前記閉鎖弁固定板外面に形成されたオーバーハング部に間隔を隔てて対峙し、且つ前記導水路につながる傾斜案内板を形成することが好ましい。
【００１１】
この構成によると、閉鎖弁固定板のオーバーハング部から垂れ落ちる水滴があったとしても、それは傾斜案内板に受け止められ、導水路に導かれるから、筐体の外に水が漏れることはない。
【発明の効果】
【００１２】
本発明によると、閉鎖弁固定板の外面に結露した水を、室外機の筐体外面を濡らすことなく確実に筐体内に回収できるから、結露水が頭上から降ってきたり、ベランダを濡らしたりする事態を回避することができる。
【図面の簡単な説明】
【００１３】
【図１】本発明の実施形態に係る空気調和機の室外機の斜視図である。
【図２】図１の室内機の部分拡大断面図である。
【図３】閉鎖弁カバーの部分拡大正面図である。
【図４】図２と同様の部分拡大断面図であって、変形実施態様を示すものである。
【発明を実施するための形態】
【００１４】
図１には室外機と室内機からなるセパレート型空気調和機の室外機１が描かれている。室外機１は、筐体１０から正面パネル１１を取り外し、内部が見えるようにした状態で示されている。正面パネル１１以外の筐体１０の構成要素は、側面パネル１２、天板１３、及び底板１４である。正面パネル１１、側面パネル１２、天板１３、及び底板１４は、いずれもプレス成型した鋼板を主体として構成されている。底板１４の周縁には立ち上がり壁１４ａが形成され、このため底板１４は全体としてトレイのような形状を呈している。
【００１５】
筐体１０の内部には、圧縮機２０、熱交換器２１、及び送風ファン２２が配置されている。圧縮機２０は冷媒の流れを生成する動力源となるものである。熱交換器２１は、内部を流れる冷媒と、送風ファン２２により形成された空気流との間で熱交換を行う。送風ファン２２はプロペラファンであり、正面パネル１１には、送風ファン２２に向かい合う位置に格子状の排気口１５が形成され、側面パネル１２には、熱交換器２１を間に挟んで送風ファン２２に向かい合う位置に、図示しない吸気口が形成されている。
【００１６】
閉鎖弁２３は、底板１４に固定された閉鎖弁固定板２４に支持される。側面パネル１２には、筐体１０を正面から見たとき右側に位置する箇所に切り欠き１２ａが形成されており、閉鎖弁固定板２４はこの切り欠き１２ａから外部に臨む形になっている。切り欠き１２ａは合成樹脂製のバルブカバー２５で覆われる。なお、筐体１０の内部空間の中で、圧縮機２０を収納する部分は、仕切壁２６で他の部分から区画された圧縮機室２７となっている。
【００１７】
閉鎖弁固定板２４は鋼板をプレス成型したものであり、筐体１０の内側より底板１４の立ち上がり壁１４ａに押し付けられ、スポット溶接やネジ止めなどの手段で底板１４に固定される。閉鎖弁固定板２４には、絞り成型により、立ち上がり壁１４ａの内面（筐体１０の内部に向いた面）に当たる円錐台状の突部２４ａ（図２参照）が形成される。突部２４ａは筐体１０の奥行き方向に並ぶ形で複数個設けられる。
【００１８】
突部２４ａが存在することにより、立ち上がり壁１４ａの内面と閉鎖弁固定板２４の外面（筐体１０の外部に向いた面）の間に間隙が生じる。この間隙が導水路２８となる。
【００１９】
バルブカバー２５の下部には水受け溝２５ａが形成される（図２及び図３参照）。水受け溝２５ａからは樋２５ｂが突き出す。樋２５ｂは、立ち上がり壁１４ａに形成された貫通穴１４ｂ及び閉鎖弁固定板２４に形成された貫通穴２４ｂを通って筐体１０の内側に突き出す。水受け溝２５ａの一側には、閉鎖弁固定板２４に対する当たりとなるリブ２５ｃが形成される。
【００２０】
室外機１を冷房運転すると、閉鎖弁２３の中を冷たい液体冷媒が流れる。これにより、閉鎖弁固定板２４の温度が下がる。閉鎖弁固定板２４の表面温度が露点温度以下に下がると、空気中の水分が閉鎖弁固定板２４の表面に結露する。結露は微細な水滴から始まり、やがてそれらが結集して大きな水滴になる。水滴がある程度大きくなると、それは重力により閉鎖弁固定板２４の表面を伝い落ちる。
【００２１】
閉鎖弁固定板２４の内面（筐体１０の内部に向いた面）に付着した結露水の水滴は底板１４の上に流れ出す。閉鎖弁固定板２４の外面に付着した結露水の水滴は、もしも導水路２８が存在しなければ立ち上がり壁１４ａの外面を伝い落ちることになる。バルブカバー２５が筐体１０の外面に隙間無く密着していれば、立ち上がり壁１４ａの外面を伝わり落ちる水は水受け溝２５ａに入り、樋２５ｂを通じて筐体１０の内部に流し込まれるのであるが、バルブカバー２５の形状や取り付けのバラツキにより、バルブカバー２５と筐体１０の外面との間に隙間が生じていることがある。そのような場合には、その隙間から結露水が漏れ出す。
【００２２】
しかしながら本発明では、立ち上がり壁１４ａの内面と閉鎖弁固定板２４の外面の間に導水路２８が形成されているため、閉鎖弁固定板２４の外面を伝い落ちる結露水は、立ち上がり壁１４ａの外面を濡らすことなく導水路２８に取り込まれ、立ち上がり壁１４ａの内側に誘導されて筐体１０内に回収される。従って、閉鎖弁固定板２４に付着した結露水が、上から滴下したり、室外機１の外側を濡らしたりするようなことはない。
【００２３】
導水路２８に取り込んだ結露水が圧縮機室２７にスムーズに流れるよう、閉鎖弁固定板２４に穴を明ける、あるいは導水路２４の出口となる隙間を閉鎖弁固定板２４と底板１４の間に大きく確保するなどしておくとよい。これらの穴や隙間も圧縮機室２７の換気口として機能するので、圧縮機室２７内外の空気の流通性が向上する。これにより、圧縮機室２７の温度上昇を低減することができる。
【００２４】
本実施形態では、立ち上がり壁１４ａの内面に当たる突部２４ａを閉鎖弁固定板２４の外面に形成して導水路２８を確保したが、特に突部を設けなくても、単に閉鎖弁固定板２４を圧縮機２０の側にずらして固定するだけでも導水路２８を確保できる。閉鎖弁２３が筐体１０の内部に一層引っ込む形になるので、室外機１をコンパクト化できる。バルブカバー２５も小さいもので間に合うので、バルブカバー２５を成型するための樹脂材料も節約できる。
【００２５】
バルブカバー２５も水を受け止める機能を有する。バルブカバー２５の内面に受け止められた水は、水受け溝２５ａから樋２５ｂを経て筐体１０の内部に流れ出す。
【００２６】
閉鎖板固定板２４から伝い落ちた水や、バルブカバー２５で受け止められて筐体１０の中に入れられた水は、熱交換器２１で発生するドレン水と一緒にされ、底板１４に形成された図示しない排水口より排水ホースを通じて排水される。
【００２７】
図４に変形実施態様を示す。図４ではバルブカバー２５の図示を省略してある。
【００２８】
プレス成型により所定の凹凸形状に形成された閉鎖弁固定板２４は、外面にオーバーハング部２４ｃを有している。立ち上がり壁１４ａの上端には、オーバーハング部２４ｃに間隔を隔てて対峙する傾斜案内板１４ｃが一体形成されている。傾斜案内板１４ｃは導水路２８につながる。
【００２９】
傾斜案内板１４ｃが存在することにより、オーバーハング部２４ｃから垂れ落ちる水滴があったとしても、それは傾斜案内板１４ｃに受け止められ、導水路２８に導かれるから、筐体１０の外に水が漏れることはない。
【００３０】
以上、本発明の実施形態につき説明したが、本発明の範囲はこれに限定されるものではなく、発明の主旨を逸脱しない範囲で種々の変更を加えて実施することができる。
【産業上の利用可能性】
【００３１】
本発明は筐体の底板に閉鎖弁固定板を固定する空気調和機の室外機に広く利用可能である。
【符号の説明】
【００３２】
１    室外機
１０  筐体
１１  正面パネル
１２  側面パネル
１３  天板
１４  底板
１４ａ  立ち上がり壁
２０  圧縮機
２１  熱交換器
２２  送風ファン
２３  閉鎖弁
２４  閉鎖弁固定板
２４ｃ  オーバーハング部
２５  バルブカバー
２８  導水路
【図１】
2010281461.tif 000003
【図２】
2010281461.tif 000004
【図３】
2010281461.tif 000005
【図４】
2010281461.tif 000006